(57)【要約】      （修正有）【課題】部品点数および組立工数を削減することが可能な表示装置を提供する。【解決手段】この液晶テレビジョン装置（表示装置）は、表示部と、表示部の背面側に配置され、表示部に背面側から光を照射する光源７と、光源７が実装された光源基板８と、光源基板８が取り付けられ、光源７からの熱を放熱する板金製のヒートシンク９と、板金製のヒートシンク９が取り付けられ、表示部を背面側から保持する板金製のリアフレーム４とを備える。リアフレーム４は、ヒートシンク９を位置決めするための位置決め部４２と、位置決め部４２により位置決めされたヒートシンク９を固定するためのフック部４３とを一体的に含む。【選択図】図４
2018010302.tif 000002
【特許請求の範囲】
【請求項１】
表示部と、
光源と、
前記光源が搭載された基板と、
前記基板が取り付けられる基板取付部が配置される面を有する背面部を含むフレームと、を備え、
前記背面部は、前記面に少なくとも部分的に配置されるとともに、前記面に対して凹む凹部と、前記フレームに対して前記基板を保持するとともに、前記面内で前記凹部から離れて配置される保持部と、を有し、
前記凹部は、前記面に直交する方向から視て、前記フレームの中央部近傍の領域を囲むように配置されており、前記領域に前記基板とは異なる回路基板が設けられている、表示装置。
【請求項２】
前記基板は、前記表示部の表示面に直交する方向から視て、前記凹部と少なくとも部分的に重なる、請求項１に記載の表示装置。
【請求項３】
前記凹部は、前記表示部の表示面に直交する方向から視て、前記表示装置の短手方向に延びるとともに、前記基板の前記短手方向の寸法よりも大きい前記短手方向の寸法を有する、請求項１または２に記載の表示装置。
【請求項４】
前記凹部は、前記表示部の表示面に直交する方向から視て、前記表示装置の前記短手方向に前記基板を横切って延びる、請求項３に記載の表示装置。
【請求項５】
前記保持部は、前記表示部の表示面に直交する方向から視て、前記表示装置の長手方向に、前記光源とずれて配置されている、請求項１〜４のいずれか１項に記載の表示装置。
【請求項６】
前記保持部は、前記表示装置の長手方向に互いに配置される複数の保持部を有し、前記複数の保持部は前記フレームに対して前記基板を保持する、請求項１〜５のいずれか１項に記載の表示装置。
【請求項７】
前記複数の保持部は、前記表示部の表示面に直交する方向から視て、前記表示装置の短手方向に延びる前記表示装置の中心軸に対して、互いに対称に配置されている、請求項６に記載の表示装置。
【請求項８】
前記基板上に配置されるレンズをさらに備え、
前記基板は矩形状であるとともに、前記表示部の前記表示面に直交する方向から視て、前記基板は前記基板の短手方向において、レンズの幅よりも広い、請求項１〜７のいずれか１項に記載の表示装置。
【発明の詳細な説明】
【技術分野】
【０００１】
この発明は、表示装置に関し、特に、放熱部材が取り付けられる背面側保持部材を備えた表示装置に関する。
【背景技術】
【０００２】
従来、放熱部材が取り付けられる背面側保持部材を備えた表示装置が知られている（たとえば、特許文献１参照）。
【０００３】
上記特許文献１には、液晶パネル（表示部）に背面側から光を照射するＬＥＤが実装された光源基板と、ＬＥＤからの熱を放熱するベース部材（放熱部材）と、液晶パネルを背面側から保持するバックパネルとを備えた表示装置が開示されている。この表示装置では、ベース部材とバックパネルとは、ボルトとナットとによって互いに締結されることにより位置決めされているとともに固定されている。
【先行技術文献】
【特許文献】
【０００４】
【特許文献１】特開２００８−１９８３９８号公報
【発明の概要】
【発明が解決しようとする課題】
【０００５】
しかしながら、上記特許文献１に開示された表示装置では、ベース部材とバックパネルとがボルトとナットとによって互いに締結されることにより位置決めされるとともに固定されているため、ボルトおよびナットの分、部品点数が増加するとともに、ボルトとナットとの締結作業の分、組立工数が増加するという問題点がある。
【０００６】
この発明は、上記のような課題を解決するためになされたものであり、この発明の１つの目的は、部品点数および組立工数を削減することが可能な表示装置を提供することである。
【課題を解決するための手段】
【０００７】
上記目的を達成するために、この発明の一の局面による表示装置は、表示部と、光源と、光源が搭載された基板と、基板が取り付けられる基板取付部が配置される面を有する背面部を含むフレームと、を備え、背面部は、面に少なくとも部分的に配置されるとともに、面に対して凹む凹部と、フレームに対して基板を保持するとともに、面内で凹部から離れて配置される保持部と、を有し、凹部は、面に直交する方向から視て、フレームの中央部近傍の領域を囲むように配置されており、領域に基板とは異なる回路基板が設けられている。
上記一の局面による表示装置において、好ましくは、基板は、表示部の表示面に直交する方向から視て、凹部と少なくとも部分的に重なる。
上記一の局面による表示装置において、好ましくは、凹部は、表示部の表示面に直交する方向から視て、表示装置の短手方向に延びるとともに、基板の短手方向の寸法よりも大きい短手方向の寸法を有する。
この場合、好ましくは、凹部は、表示部の表示面に直交する方向から視て、表示装置の短手方向に基板を横切って延びる。
上記一の局面による表示装置において、好ましくは、保持部は、表示部の表示面に直交する方向から視て、表示装置の長手方向に、光源とずれて配置されている。
上記一の局面による表示装置において、好ましくは、保持部は、表示装置の長手方向に互いに配置される複数の保持部を有し、複数の保持部はフレームに対して基板を保持する。
この場合、好ましくは、複数の保持部は、表示部の表示面に直交する方向から視て、表示装置の短手方向に延びる表示装置の中心軸に対して、互いに対称に配置されている。
上記一の局面による表示装置において、好ましくは、基板上に配置されるレンズをさらに備え、基板は矩形状であるとともに、表示部の表示面に直交する方向から視て、基板は基板の短手方向において、レンズの幅よりも広い。
【発明の効果】
【０００８】
本発明によれば、上記のように、部品点数および組立工数を削減することができる。
【図面の簡単な説明】
【０００９】
【図１】本発明の一実施形態による液晶テレビジョン装置の全体構成を示した斜視図である。
【図２】図１に示した液晶テレビジョン装置の背面図である。
【図３】図２の５０−５０線に沿った模式的な断面図である。
【図４】本発明の一実施形態によるリアフレーム、ヒートシンク、光源基板、反射シートおよび拡散レンズを示した分解斜視図である。
【図５】本発明の一実施形態によるリアフレームの位置決め部にヒートシンクが位置決めされた状態を拡大して示した拡大図である。
【図６】図５からヒートシンクを取り外した状態を示した拡大図である。
【図７】図５の５１−５１線に沿った模式的な断面図である。
【図８】本発明の一実施形態によるリアフレームのフック部にヒートシンクが固定された状態を拡大して示した拡大図である。
【図９】図８からヒートシンクを取り外した状態を示した拡大図である。
【図１０】図８の５２−５２線に沿った模式的な断面図である。
【図１１】本発明の一実施形態の変形例によるリアフレームの位置決め部を拡大して示した拡大図である。
【発明を実施するための形態】
【００１０】
以下、本発明の実施形態を図面に基づいて説明する。
【００１１】
図１〜図１０を参照して、本発明の一実施形態による液晶テレビジョン装置１００の構成について説明する。なお、液晶テレビジョン装置１００は、本発明の「表示装置」の一例である。
【００１２】
図１および図２に示すように、液晶テレビジョン装置１００は、映像が表示される液晶セルからなる表示部１と、表示部１を正面側（矢印Ｙ１方向側）から支持する樹脂製の前部筐体２と、液晶テレビジョン装置１００を下方（矢印Ｚ２方向側）から支持する樹脂製のスタンド部材３とを備える。前部筐体２は、正面から見て（矢印Ｙ１方向側から見て）矩形形状の外形を有する枠状に形成されている。具体的には、前部筐体２の中央部近傍には、表示部１を露出させるための矩形形状の開口部２ａが設けられている。また、図３に示すように、前部筐体２は、前方（矢印Ｙ１方向）に窪む凹形状に形成されている。
【００１３】
また、図２および図３に示すように、液晶テレビジョン装置１００は、表示部１を背面側（矢印Ｙ２方向側）から支持する板金製のリアフレーム４を備える。このリアフレーム４は、前部筐体２に対応する矩形形状の外形を有する。また、リアフレーム４は、後方（矢印Ｙ２方向）に窪む凹形状に形成されている。なお、リアフレーム４は、本発明の「背面側保持部材」の一例である。
【００１４】
また、図２および図３に示すように、板金製のリアフレーム４の背面側（矢印Ｙ２方向側）には、リアフレーム４よりも小さい矩形形状を有する樹脂製のカバー部材５が取り付けられている。具体的には、リアフレーム４の背面には、リアフレーム４に対して背面側に突出する凸部４１が形成されている。この凸部４１は、リアフレーム４の背面側から見て、リアフレーム４の中央部近傍の矩形形状の領域Ｒを囲むように逆Ｕ字状に配置されている。そして、カバー部材５は、逆Ｕ字状に配置された凸部４１の内側に構成される上記矩形形状の領域Ｒを覆うように、リアフレーム４の背面に取り付けられている。なお、リアフレーム４の背面の上記矩形形状の領域Ｒには、電源基板や信号処理基板などの種々の回路基板（図示せず）が取り付けられている。
【００１５】
また、図３および図４に示すように、リアフレーム４の表面（矢印Ｙ１方向側の面）には、リアフレームの１辺の延びる方向（水平方向：Ｘ方向）に沿って延びる板金製のヒートシンク６が、上下方向（Ｚ方向）に間隔を隔てて３つ配置されている。これら３つのヒートシンク６の表面には、それぞれ、表示部１に背面側（矢印Ｙ２方向側）から光を照射する光源７が実装された３つの光源基板８が配置されている。なお、光源７は、ＬＥＤ（Ｌｉｇｈｔ  Ｅｍｉｔｔｉｎｇ  Ｄｉｏｄｅ）などにより構成されている。また、光源７は、各光源基板８の表面に、各光源基板８の延びる方向（Ｘ方向）に沿って間隔を隔てて複数実装されている。また、ヒートシンク６は、本発明の「放熱部材」の一例である。
【００１６】
また、図３および図４に示すように、光源基板８の複数の光源７が実装された側の表面（矢印Ｙ１方向側の面）には、複数の光源７をそれぞれ覆う複数の拡散レンズ９が取り付けられている。この拡散レンズ９は、アクリルなどの樹脂により構成されており、光源７からの出射光を表示部１側に拡散する機能（図３の矢印付きの点線参照）を有する。なお、図３に示すように、拡散レンズ９の底面の中央部近傍（光源基板８の表面の光源７に対応する位置）には、凹部９ａが設けられている。また、拡散レンズ９には、拡散レンズ９の底面から光源基板８側に延びる柱状のボス９ｂが設けられており、このボス９ｂが光源基板８の表面に接着されることにより、拡散レンズ９が光源基板８の表面の光源７に対応する位置に取り付けられている。
【００１７】
また、図３および図４に示すように、光源基板８と拡散レンズ９との間には、光源７からの光を表示部１側に反射する反射シート１０が配置されている。この反射シート１０は、光源基板８の表面上に配置された状態で、リアフレーム４に沿った形状（矢印Ｙ２方向側に窪む凹形状）を有する。また、反射シート１０と表示部１との間には、拡散レンズ９により拡散された光を表示部１側にさらに拡散する拡散板などの種々の光学部材（図示せず）が配置されている。なお、反射シート１０には、複数のＬＥＤ７（拡散レンズ９）にそれぞれ対応する複数の穴部１０ａが形成されている。
【００１８】
ここで、本実施形態では、図４〜図１０に示すように、リアフレーム４は、ヒートシンク６を位置決めするための位置決め部４２と、位置決め部４２により位置決めされたヒートシンク６を固定するためのフック部４３とを一体的に含む。フック部４３は、ヒートシンク６に対して位置決め部４２とは反対側（矢印Ｚ１方向側）に配置されている。なお、フック部４３は、本発明の「固定部」の一例である。
【００１９】
図５〜図７に示すように、位置決め部４２は、板金製のヒートシンク６の下側（矢印Ｚ２方向側）の側端面に当接する当接部４２ａと、板金製のヒートシンク６の表面側（矢印Ｙ１方向側）に形成され、光源７からの熱に起因して板金製のヒートシンク６が表面側に反るのを抑制する反り抑制部４２ｂとを含む。なお、図５は、リアフレーム４の上下方向（Ｚ方向）の中央部近傍で、かつ、水平方向（Ｘ方向）の中央部近傍に形成された位置決め部４２を拡大して示した図である。この図５では、説明の便宜上、光源基板８の表面に配置される反射シート１０の図示を省略している。ここで、当接部４２ａおよび反り抑制部４２ｂを含む位置決め部４２は、ヒートシンク６の水平方向（Ｘ方向）の中央部近傍に対応するリアフレーム４の位置に配置されている。
【００２０】
すなわち、図４〜図７に示すように、ヒートシンク６の水平方向（Ｘ方向：ヒートシンク６の長手方向）の中央部近傍には、水平方向に延びる切欠き６１が形成されている。そして、当接部４２ａは、ヒートシンク６の切欠き６１に対応する部分の水平方向の両端部近傍の内側面に当接するように配置されているとともに、反り抑制部４２ｂは、ヒートシンク６の切欠き６１に対応する部分の水平方向の両端部近傍の表面側（矢印Ｙ１方向側）に配置されている。なお、当接部４２ａおよび反り抑制部４２ｂは、共に、前後方向（Ｙ方向）および上下方向（Ｚ方向）に延びる板状に形成されている。
【００２１】
具体的には、図７に示すように、当接部４２ａは、ヒートシンク６の厚みｔよりも大きい前後方向（Ｙ方向）の長さＬ１を有する板状に形成されている。また、反り抑制部４２ｂは、当接部４２ａの前後方向の長さＬ１よりも大きい前後方向の長さＬ２を有する板状に形成されている。ここで、反り抑制部４２ｂは、当接部４２ａの上端部（矢印Ｚ１方向側の端部）よりも上側に配置されている。これにより、当接部４２ａの上端部よりも上側に配置された反り抑制部４２ｂのリアフレーム４側（矢印Ｙ２方向側）の端面と、リアフレーム４の前面（矢印Ｙ１方向側の面）との間に溝状の空間Ｓが形成され、この溝状の空間Ｓに、光源基板８が取り付けられたヒートシンク６の下端部近傍（矢印Ｚ２方向側の端部近傍）が挿入されている。なお、反り抑制部４２ｂの上端面は、リアフレーム４側からリアフレーム４とは反対側に向かうにしたがって上側に傾斜する傾斜面４２ｃを有する。この傾斜面４２ｃは、光源基板８が取り付けられたヒートシンク６をリアフレーム４に対して前方に傾斜させた状態（図７の一点鎖線参照）で上記溝状の空間Ｓに容易に挿入可能にするために設けられている。なお、図７の矢印Ａは、光源基板８が取り付けられたヒートシンク６のリアフレーム４の前面に対する取付方向を示している。また、この図７の矢印Ａは、後述する図１０の矢印Ａと同じである。
【００２２】
ここで、本実施形態では、図４に示すように、当接部４２ａおよび反り抑制部４２ｂを含む位置決め部４２は、ヒートシンク６の水平方向（Ｘ方向）の中央部近傍に対応するリアフレーム４の位置のみならず、ヒートシンク６の水平方向の両端部近傍に対応するリアフレーム４の位置にも配置されている。具体的には、位置決め部４２は、ヒートシンク６の水平方向の中央部近傍に対応するリアフレーム４の位置と、ヒートシンク６の水平方向の両端部近傍に対応するリアフレーム４の位置との両方に、それぞれ２つずつ（合計４つ）配置されている。詳細には、ヒートシンク６の水平方向の中央部近傍に対応する２つの位置決め部４２は、それぞれ、ヒートシンク６の切欠き６１の上下方向（Ｚ方向）の深さＤ（図５および図７参照）分、ヒートシンク６の水平方向の両端部近傍に対応する２つの位置決め部４２よりも上側（矢印Ｚ１方向側）に配置されている。なお、ヒートシンク６の水平方向の両端部近傍に対応する２つの位置決め部４２の当接部４２ａは、それぞれ、ヒートシンク６の水平方向の両端部近傍の下側（矢印Ｚ２方向側）の側端面に当接するように構成されている。たとえば、図８に示すように、ヒートシンク６の矢印Ｘ２方向側の端部近傍に対応する位置決め部４２の当接部４２ａは、ヒートシンク６の矢印Ｘ２方向側の端部近傍の下側の側端面に当接するように構成されている。
【００２３】
また、図８および図１０に示すように、ヒートシンク６は、ヒートシンク６の位置決め部４２とは反対側（矢印Ｚ１方向側）の端部からリアフレーム４とは反対側（矢印Ｙ１方向側）に直立する直立部６２を含む。そして、図１０に示すように、フック部４３は、ヒートシンク６の直立部６２に係合するとともに、位置決め部４２により位置決めされたヒートシンク６の直立部６２をフック部４３に対して取り付ける際の取付方向（図１０の矢印Ａ参照）と交差する方向（図１０の矢印Ｂ参照）に撓み変形可能に構成されている。なお、図８は、リアフレーム４の上下方向（Ｚ方向）の中央部近傍で、かつ、水平方向の一方側（矢印Ｘ２方向側）の端部近傍に配置された位置決め部４２およびフック部４３を拡大して示した図である。この図８では、説明の便宜上、光源基板８の表面に配置される反射シート１０の図示を省略している。
【００２４】
図８〜図１０に示すように、フック部４３は、リアフレーム４に対して前方（矢印Ｙ１方向側）に直立する長い部分４３ａと、長い部分４３ａのリアフレーム４とは反対側（矢印Ｙ１方向側）の端部から下方（矢印Ｚ２方向側）に延びる短い部分４３ｂとを有する。これらの長い部分４３ａおよび短い部分４３ｂは、共に、板状に形成されている。具体的には、長い部分４３ａ、水平方向（Ｘ方向）および前後方向（Ｙ方向）に延びる板状に形成されているとともに、短い部分４３ｂは、水平方向および上下方向（Ｚ方向）に延びる板状に形成されている。ここで、図８に示すように、ヒートシンク６の直立部６２の水平方向の幅Ｗ１は、フック部４３（長い部分４３ａおよび短い部分４３ｂ）の水平方向の幅Ｗ２よりも大きい。また、図１０に示すように、長い部分４３ａは、直立部６２の前後方向の長さＬ３よりも大きい前後方向の長さＬ４を有する。また、短い部分４３ｂは、直立部６２の厚み（ヒートシンク６の厚み）ｔよりも大きい上下方向の長さＬ５を有する。また、長い部分４３ａと短い部分４３ｂとは、ヒートシンク６がリアフレーム４に取り付けられた状態で、それぞれ、直立部６２の上側の表面と前方の端面とに対して僅かな隙間を隔てて離間するように配置されている。
【００２５】
なお、本実施形態では、図４に示すように、位置決め部４２およびフック部４３は、それぞれ、水平方向（Ｘ方向）に沿って複数設けられている。具体的には、位置決め部４２は、上記のように、ヒートシンク６の水平方向の中央部近傍に対応するリアフレーム４の位置と、ヒートシンク６の水平方向の両端部近傍に対応するリアフレーム４の位置とに、それぞれ２つずつ（合計４つ）設けられている。そして、フック部４３は、図４において最も奥側（矢印Ｘ１方向側）に配置された位置決め部４２と奥から２番目に配置された位置決め部４２との間、および、図４において最も手前側（矢印Ｘ２方向側）に配置された位置決め部４２と手前から２番目に配置された位置決め部４２との間に、それぞれ１つずつ（合計２つ）配置されている。
【００２６】
また、本実施形態では、図４〜図１０に示すように、位置決め部４２およびフック部４３は、それぞれ、板金製のリアフレーム４がヒートシンク６側（矢印Ｙ１方向側）に切り起こされることによりリアフレーム４に一体的に形成されている。これにより、リアフレーム４の位置決め部４２およびフック部４３に対応する部分には、それぞれ、穴部４４および４５が形成されている。なお、図５〜図９に示すように、位置決め部４２（当接部４２ａ）とリアフレーム４との境界部分の上下方向（Ｚ方向）の中央部近傍には、位置決め部４２を補強するための補強リブ４２ｄが一体的に形成されている。この補強リブ４２ｄは、位置決め部４２のリアフレーム４との境界部分の中央部近傍にシボ加工などが施されることにより、位置決め部４２とリアフレーム４との境界部分に対して穴部４４側から穴部４４とは反対側に突出するように形成されている。
【００２７】
本実施形態では、上記のように、ヒートシンク６を位置決めするための位置決め部４２と、位置決め部４２により位置決めされたヒートシンク６を固定するためのフック部４３とをリアフレーム４に一体的に形成することによって、ヒートシンク６とリアフレーム４とを位置決めするとともに固定するためのボルトやナットなどの部品を別途設ける必要がないので、その分、部品点数および組立工数を削減することができる。
【００２８】
また、本実施形態では、上記のように、位置決め部４２に、ヒートシンク６の下側（矢印Ｚ２方向側）の側端面に当接する当接部４２ａと、板金製のヒートシンク６の表面側（矢印Ｙ１方向側）に形成され、光源７からの熱に起因して板金製のヒートシンク６が表面側に反るのを抑制する反り抑制部４２ｂとを設ける。これにより、光源７からの熱に起因してヒートシンク６が反った場合でも、反り抑制部４２ｂによってヒートシンク６の反りを抑制しながら、当接部４２ａによって容易にヒートシンク６の位置決めをすることができる。
【００２９】
また、本実施形態では、上記のように、当接部４２ａおよび反り抑制部４２ｂを含む位置決め部４２を、リアフレーム４の１辺の延びる方向（水平方向：Ｘ方向）におけるヒートシンク６の中央部近傍に対応するリアフレーム４の位置に配置する。これにより、当接部４２ａおよび反り抑制部４２ｂを含む位置決め部４２が、ヒートシンク６の重心が位置し、かつ、反りが発生しやすい部分（中央部近傍）に対応するように配置されるので、ヒートシンク６の反りを効果的に抑制しながら、ヒートシンク６を安定して位置決めすることができる。
【００３０】
また、本実施形態では、上記のように、ヒートシンク６の水平方向（Ｘ方向：ヒートシンク６の長手方向）の中央部近傍に切欠き６１を形成し、当接部４２ａを、ヒートシンク６の切欠き６１に対応する部分の下側（矢印Ｚ２方向側）の内側面に当接するように構成するとともに、反り抑制部４２ｂを、ヒートシンク６の切欠き６１に対応する部分の表面側（矢印Ｙ１方向側）に形成する。これにより、ヒートシンク６の切欠き６１が形成されていない部分に対して切欠き６１の上下方向（Ｚ方向）の深さＤ（図５および図７参照）分内側の、より反りが発生しやすい部分（ヒートシンクの短手方向の中央部側の部分）に対応するように反り抑制部４２ｂが配置されるので、ヒートシンク６の反りをより効果的に抑制することができる。
【００３１】
また、本実施形態では、上記のように、当接部４２ａおよび反り抑制部４２ｂを含む位置決め部４２を、ヒートシンク６の水平方向（Ｘ方向）の中央部近傍に対応するリアフレーム４の位置のみならず、ヒートシンク６の水平方向の両端部近傍に対応するリアフレーム４の位置にも配置する。これにより、当接部４２ａおよび反り抑制部４２ｂを含む位置決め部４２が、ヒートシンク６の中央部近傍に加えて、ヒートシンク６の両端部近傍にも対応するように配置されるので、ヒートシンク６の反りをより抑制しながら、ヒートシンク６をより安定して位置決めすることができる。
【００３２】
また、本実施形態では、上記のように、フック部４３を、ヒートシンク６に対して位置決め部４２とは反対側（矢印Ｚ１方向側）に配置する。これにより、フック部４３と位置決め部４２とがヒートシンク６に対して互いに同じ側に配置されている場合と異なり、位置決め部４２を用いたヒートシンク６の位置決め作業と、フック部４３を用いたヒートシンク６の固定作業とを、ヒートシンク６の一方側と他方側とにおいてそれぞれ別々に行うことができるので、ヒートシンク６の位置決め作業および固定作業を効率的に行うことができる。
【００３３】
また、本実施形態では、上記のように、ヒートシンク６に、ヒートシンク６の位置決め部４２とは反対側（矢印Ｚ１方向側）の端部からリアフレーム４とは反対側（矢印Ｙ１方向側）に直立する直立部６２を設け、フック部４３を、ヒートシンク６の直立部６２に係合するとともに、位置決め部４２により位置決めされたヒートシンク６の直立部６２をフック部４３に対して取り付ける際の取付方向（図１０の矢印Ａ参照）と交差する方向（図１０の矢印Ｂ参照）に撓み変形可能に構成する。これにより、ヒートシンク６の直立部６２に係合するフック部４３（板金製）によって、ヒートシンク６をリアフレーム４に対して強固に固定することができる。また、ヒートシンク６（直立部６２）のリアフレーム４（フック部４３）への取り付け作業の際に、ヒートシンク６が位置決めされた状態であっても、フック部４３を直立部６２の取付方向と交差する方向に撓み変形させることができるので、ヒートシンク６のリアフレーム４への取り付け作業がフック部４３により妨げられるのを抑制することができる。これらの結果、ヒートシンク６をリアフレーム４に対して容易にかつ強固に取り付けることができる。
【００３４】
また、本実施形態では、上記のように、位置決め部４２およびフック部４３を、それぞれ、板金製のリアフレーム４を切り起こすことにより、板金製のリアフレーム４に一体的に形成する。これにより、板金製のリアフレーム４に切り起こし加工を施すだけで、板金製のリアフレーム４に位置決め部４２およびフック部４３を簡単に一体的に形成することができる。
【００３５】
また、本実施形態では、上記のように、位置決め部４２およびフック部４３を、それぞれ、ヒートシンク６の延びる方向（Ｘ方向）に沿って複数設ける。これにより、ヒートシンク６の延びる方向に沿って複数設けられた位置決め部４２およびフック部４３によって、ヒートシンク６の位置決めおよび固定をより確実に行うことができる。
【００３６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３７】
たとえば、上記実施形態では、本発明の表示装置の一例として液晶テレビジョン装置を用いる例を示したが、本発明はこれに限らない。本発明は、液晶テレビジョン装置以外にも、ＰＣ（Ｐｅｒｓｏｎａｌ  Ｃｏｍｐｕｔｅｒ）用のディスプレイ装置などの一般的な表示装置に適用可能である。
【００３８】
また、上記実施形態では、図６に示すように、上下方向（Ｚ方向）および前後方向（Ｙ方向）に延びる板状の当接部４２ａと反り抑制部４２ｂとにより位置決め部４２を構成する例を示したが、本発明はこれに限らない。本発明では、図１１に示す変形例のように、水平方向（Ｘ方向）および前後方向に延びる当接部１４２ａと、水平方向および上下方向に延びる反り抑制部１４２ｂとにより位置決め部１４２を構成してもよい。この図１１に示す変形例においても、上記実施形態と同様に、位置決め部１４２は、板金製のリアフレーム１４に切り起こし加工が施されることによりリアフレーム１４に一体的に形成されている。ここで、図１１に示す変形例では、反り抑制部１４２ｂが、水平方向に所定の幅Ｗ３を有し、ヒートシンク６の下側（矢印Ｚ２方向側）の端部近傍の表面（矢印Ｙ１方向側の面）と面接触するように配置されているので、ヒートシンク６の反りを抑制しながら、反り抑制部１４２ｂとリアフレーム１４との間にヒートシンク６を挟み込んでヒートシンク６を強固に保持することができる。なお、リアフレーム１４は、本発明の「背面側保持部材」の一例である。
【００３９】
また、上記実施形態では、ヒートシンクの中央部近傍および両端部近傍に対応するように位置決め部をそれぞれ２つずつ（合計４つ）配置する例を示したが、本発明はこれに限らない。本発明では、ヒートシンクの中央部近傍に対応するように配置する位置決め部の個数を１つとしてもよいし、３つ以上としてもよい。同様に、ヒートシンクの端部近傍に対応するように配置する位置決め部の個数を１つとしてもよいし、３つ以上としてもよい。また、本発明では、ヒートシンクの中央部近傍および両端部近傍以外の部分に対応するように位置決め部を配置してもよい。
【００４０】
また、上記実施形態では、ヒートシンクの中央部近傍に切欠きを設け、ヒートシンクの中央部近傍に対応する位置決め部を、ヒートシンクの両端部近傍に対応する位置決め部に対して切欠きの上下方向の深さ分上側に配置する例を示したが、本発明はこれに限らない。本発明では、ヒートシンクに切欠きを設けずに、ヒートシンクの中央部近傍に対応する位置決め部と、ヒートシンクの両端部近傍に対応する位置決め部とを互いに同じ高さ位置に配置してもよい。
【００４１】
また、上記実施形態では、位置決め部をヒートシンクに対して下側に配置するとともに、フック部をヒートシンクに対して上側に配置して、位置決め部とフック部とをヒートシンクに対して互いに反対側に配置する例を示したが、本発明はこれに限らない。本発明では、位置決め部およびフック部のヒートシンクに対する位置を上記とは反対にしてもよい。すなわち、位置決め部およびフック部をヒートシンクに対してそれぞれ上側および下側に配置してもよい。また、本発明では、位置決め部とフック部とをヒートシンクに対して同じ側に配置してもよい。
【００４２】
また、上記実施形態では、ヒートシンクに直立部を設けるとともに、リアフレームに直立部に対応するフック部を設け、直立部とフック部とを互いに係合させることにより、ヒートシンクをリアフレームに固定する例を示したが、本発明はこれに限らない。本発明では、フック構造以外の固定手段をリアフレームに一体的に形成することにより、ヒートシンクをリアフレームに固定してもよい。
【符号の説明】
【００４３】
１  表示部
４、１４  リアフレーム（背面側保持部材）
６  ヒートシンク（放熱部材）
７  光源
８  光源基板
４２、１４２  位置決め部
４２ａ、１４２ａ  当接部
４２ｂ、１４２ｂ  反り抑制部
４３  フック部（固定部）
６１  切欠き
６２  直立部
１００  液晶テレビジョン装置（表示装置）
【図１】
2018010302.tif 000003
【図２】
2018010302.tif 000004
【図３】
2018010302.tif 000005
【図４】
2018010302.tif 000006
【図５】
2018010302.tif 000007
【図６】
2018010302.tif 000008
【図７】
2018010302.tif 000009
【図８】
2018010302.tif 000010
【図９】
2018010302.tif 000011
【図１０】
2018010302.tif 000012
【図１１】
2018010302.tif 000013